【手続補正書】
【提出日】平成15年10月17日(2003.10.17)
【手続補正１】
【補正対象書類名】明細書
【補正対象項目名】特許請求の範囲
【補正方法】変更
【補正の内容】
【特許請求の範囲】
【請求項１】
酸性化合物で以て中和された塩基性基を有する重合体セグメント（Ａ）と、珪素原子に結合した水酸基を有する分岐したポリシロキサンセグメント（Ｂ）で構成され、しかも、これらの（Ａ）成分と（Ｂ）成分とが、下記の構造式（Ｓ−Ｉ）
【化１】
1998176117.tif 000001
（ただし、式中、炭素原子および炭素原子に結合した珪素原子は、重合体セグメント（Ａ）の一部分を構成し、酸素原子のみに結合した他方の珪素原子は、ポリシロキサンセグメント（Ｂ）の一部分を構成するものとする。）で示される結合を介して複合化している複合樹脂（Ｃ）を、水に分散ないしは溶解せしめて得られる水性樹脂。
【請求項２】
前記した複合樹脂（Ｃ）が、塩基性基および加水分解性シリル基なる両基を併有する重合体（ａ−１）と、珪素原子に結合した水酸基および／または珪素原子に結合した加水分解性基を有するポリシロキサン（ｂ−１）とを縮合反応せしめたのち、塩基性基を酸性化合物で以て部分中和ないしは完全に中和せしめて得られるものである、請求項１に記載の水性樹脂。
【請求項３】
前記した複合樹脂（Ｃ）が、塩基性基および加水分解性シリル基なる両基と、これらの塩基性基および加水分解性シリル基なる両基以外の官能基を併有する重合体（ａ−２）と、珪素原子に結合した水酸基および／または珪素原子に結合した加水分解性基を有するポリシロキサン（ｂ−１）とを縮合反応せしめたのち、塩基性基を酸性化合物で以て部分中和ないしは完全に中和せしめて得られるものである、請求項１に記載の水性樹脂。
【請求項４】
前記した複合樹脂（Ｃ）が、酸性化合物の存在下において、塩基性基および加水分解性シリル基を併有する重合体（ａ−１）と、珪素原子に結合した水酸基および／または珪素原子に結合した加水分解性基を有するポリシロキサン（ｂ−１）とを縮合反応せしめて得られるものである、請求項１に記載の水性樹脂。
【請求項５】
前記した複合樹脂（Ｃ）が、酸性化合物の存在下において、塩基性基および加水分解性シリル基なる両基と、これらの塩基性基および加水分解性シリル基なる両基以外の官能基を併有する重合体（ａ−２）と、珪素原子に結合した水酸基および／または珪素原子に結合した加水分解性基を有するポリシロキサン（ｂ−１）とを縮合反応せしめて得られるものである、請求項１に記載の水性樹脂。
【請求項６】
前記した複合樹脂（Ｃ）が、塩基性基および加水分解性シリル基なる両基を併有する重合体（ａ−１）の存在下において、一分子中に少なくとも２個の、珪素原子に結合した加水分解性基を有する珪素化合物を加水分解縮合せしめて、珪素原子に結合した水酸基を有する分岐したポリシロキサン（ｂ−２）を調製する過程で、上記した（ａ−１）と上記した（ｂ−２）とを複合化せしめたしめたのち、塩基性基を酸性化合物で以て部分中和ないしは完全に中和せしめて得られるものである、請求項１に記載の水性樹脂。
【請求項７】
前記した複合樹脂（Ｃ）が、塩基性基および加水分解性シリル基なる両基と、これらの塩基性基および加水分解性シリル基なる両基以外の官能基を併有する重合体（ａ−２）の存在下において、一分子中に少なくとも２個の、珪素原子に結合した加水分解性基を有する珪素化合物を加水分解縮合せしめて、珪素原子に結合した水酸基を有する分岐したポリシロキサン（ｂ−２）を調製する過程で、上記した（ａ−２）と上記した（ｂ−２）とを複合化せしめたしめたのち、塩基性基を酸性化合物で以て部分中和ないしは完全に中和せしめて得られるものである、請求項１に記載の水性樹脂。
【請求項８】
前記した複合樹脂（Ｃ）が、酸性化合物と、塩基性基および加水分解性シリル基なる両基を併有する重合体（ａ−１）の存在下において、一分子中に少なくとも２個の、珪素原子に結合した加水分解性基を有する珪素化合物を加水分解縮合せしめて、珪素原子に結合した水酸基を有する分岐したポリシロキサン（ｂ−２）を調製する過程で、上記した（ａ−１）と上記した（ｂ−２）とを複合化せしめることにより得られるものである、請求項１に記載の水性樹脂。
【請求項９】
前記した複合樹脂（Ｃ）が、酸性化合物と、塩基性基および加水分解性シリル基なる両基と、これらの塩基性基および加水分解性シリル基なる両基以外の官能基を併有する重合体（ａ−２）の存在下において、一分子中に少なくとも２個の、珪素原子に結合した加水分解性基を有する珪素化合物を加水分解縮合せしめて、珪素原子に結合した水酸基を有する分岐したポリシロキサン（ｂ−２）を調製する過程で、上記した（ａ−２）と上記した（ｂ−２）とを複合化せしめることにより得られるものである、請求項１に記載の水性樹脂。
【請求項１０】
前記した複合樹脂（Ｃ）が、珪素原子に結合した水酸基および／または珪素原子に結合した加水分解性基を有するポリシロキサン（ｂ−１）の存在下において、塩基性基および加水分解性シリル基なる両基を併有する重合体（ａ−１）を調製する過程で、上記した（ａ−１）と上記した（ｂ−１）とを複合化せしめたのち、塩基性基を酸性化合物で以て部分中和ないしは完全に中和せしめて得られるものである、請求項１に記載の水性樹脂。
【請求項１１】
前記した複合樹脂（Ｃ）が、珪素原子に結合した水酸基および／または珪素原子に結合した加水分解性基を有するポリシロキサン（ｂ−１）の存在下において、塩基性基および加水分解性シリル基なる両基と、これらの塩基性基および加水分解性シリル基なる両基以外の官能基を併有する重合体（ａ−２）を調製する過程で、上記した（ａ−２）と上記した（ｂ−１）とを複合化せしめたのち、塩基性基を酸性化合物で以て部分中和ないしは完全に中和せしめて得られるものである、請求項１に記載の水性樹脂。
【請求項１２】
前記した複合樹脂（Ｃ）が、酸性化合物と、珪素原子に結合した水酸基および／または珪素原子に結合した加水分解性基を有するポリシロキサン（ｂ−１）の存在下において、塩基性基と加水分解性シリル基を併有する重合体（ａ−１）を調製する過程で、上記した（ａ−１）と上記した（ｂ−１）とを複合化せしめることにより得られるものである、請求項１に記載の水性樹脂。
【請求項１３】
前記した複合樹脂（Ｃ）が、酸性化合物と、珪素原子に結合した水酸基および／または珪素原子に結合した加水分解性基を有するポリシロキサン（ｂ−１）の存在下において、塩基性基および加水分解性シリル基なる両基と、これらの塩基性基および加水分解性シリル基なる両基以外の官能基を併有する重合体（ａ−２）を調製する過程で、上記した（ａ−２）と上記した（ｂ−１）とを複合化せしめることにより得られるものである、請求項１に記載の水性樹脂。
【請求項１４】
前記した複合樹脂（Ｃ）が、塩基性基および加水分解性シリル基なる両基を併有する重合体（ａ−１）を調製する反応と、一分子中に少なくとも２個の、珪素原子に結合した加水分解性基を有する珪素化合物を加水分解縮合せしめて、珪素原子に結合した水酸基を有する分岐したポリシロキサン（ｂ−２）を調製する反応を並行して行なったのち、塩基性基を酸性化合物で以て部分中和ないしは完全に中和せしめて得られるものである、請求項１に記載の水性樹脂。
【請求項１５】
前記した複合樹脂（Ｃ）が、塩基性基と加水分解性シリル基なる両基と、これらの塩基性基および加水分解性シリル基なる両基以外の官能基を併有する重合体（ａ−２）を調製する反応と、一分子中に少なくとも２個の、珪素原子に結合した加水分解性基を有する珪素化合物を加水分解縮合せしめて、珪素原子に結合した水酸基を有する分岐したポリシロキサン（ｂ−２）を調製する反応を並行して行なったのち、塩基性基を酸性化合物で以て部分中和ないしは完全に中和せしめて得られるものである、請求項１に記載の水性樹脂。
【請求項１６】
前記した複合樹脂（Ｃ）が、酸性化合物の存在下において、塩基性基および加水分解性シリル基なる両基を有する重合体（ａ−１）を調製する反応と、一分子中に少なくとも２個の、珪素原子に結合した加水分解性基を有する珪素化合物を加水分解縮合せしめて、珪素原子に結合した水酸基を有する分岐したポリシロキサン（ｂ−２）を調製する反応を並行して行なう過程で、上記した（ａ−１）と上記した（ｂ−２）とを複合化せしめることにより得られるものである、請求項１に記載の水性樹脂。
【請求項１７】
前記した複合樹脂（Ｃ）が、酸性化合物の存在下において、塩基性基および加水分解性シリル基なる両基と、これら塩基性基および加水分解性シリル基なる両基以外の官能基を併有する重合体（ａ−２）を調製する反応と、一分子中に少なくとも２個の、珪素原子に結合した加水分解性基を有する珪素化合物を加水分解縮合せしめて、珪素原子に結合した水酸基を有する分岐したポリシロキサン（ｂ−２）を調製する反応を並行して行なう過程で、上記した（ａ−２）と上記した（ｂ−２）と複合化せしめることにより得られるものである、請求項１に記載の水性樹脂。
【請求項１８】
前記した重合体（ａ−２）が、塩基性基および加水分解シリル基以外の官能基として、水酸基、ブロックされた水酸基、カルボキシル基、ブロックされたカルボキシル基、カルボン酸無水基、シクロカーボネート基、エポキシ基、１級アミド基、２級アミド、カーバメート基および下記の構造式（Ｓ−ＩＩ）
【化２】
1998176117.tif 000002
で示される官能基よりなる群から選ばれる、少なくとも１種の官能基を有するものである、請求項３、５、７、９、１１、１３、１５または１７のいずれかに記載の水性樹脂。
【請求項１９】
前記した重合体セグメント（Ａ）が、ビニル系重合体セグメントである、請求項１に記載の水性樹脂。
【請求項２０】
前記した重合体（ａ−１）が、加水分解性シリル基を有するビニル系単量体、加水分解性シリル基を有する連鎖移動剤および加水分解性シリル基を有するラジカル重合開始剤より選ばれる、少なくとも１種の化合物の存在下に、塩基性基を有するビニル系単量体を必須成分とする単量体をラジカル重合せしめて調製されるビニル系重合体である、請求項２、４、６、８、１０、１２、１４または１６のいずれかに記載の水性樹脂。
【請求項２１】
前記した重合体（ａ−２）が、加水分解性シリル基を有するビニル系単量体、加水分解性シリル基を有する連鎖移動剤および加水分解性シリル基を有するラジカル重合開始剤より選ばれる、少なくとも１種の化合物の存在下に、塩基性基と、これらの塩基性基と加水分解性シリル基なる両基以外の官能基を有するビニル系単量体とを必須成分とする単量体をラジカル重合せしめて調製されるビニル系重合体である、請求項３、５、７、９、１１、１３、１５または１７のいずれかに記載の水性樹脂。
【請求項２２】
前記した、重合体（ａ−１）中に含まれる加水分解性シリル基が、アルコキシシリル基である、請求項２、４、６、８、１０、１２、１４または１６のいずれかに記載の水性樹脂。
【請求項２３】
前記した、重合体（ａ−２）中に含まれる加水分解性シリル基が、アルコキシシリル基である、請求項３、５、７、９、１１、１３、１５または１７のいずれかに記載の水性樹脂。
【請求項２４】
前記した、珪素原子に結合した水酸基および／または珪素原子に結合した加水分解性基を有するポリシロキサン（ｂ−１）が、一分子に少なくとも２個の、珪素原子に結合した加水分解性基を有する珪素化合物を必須の成分として含有する珪素化合物類の加水分解縮合物ないしは部分加水分解縮合物である、請求項２〜５または１０〜１３のいずれかに記載の水性樹脂。
【請求項２５】
前記した、一分子に少なくとも２個の、珪素原子に結合した加水分解性基を有する珪素化合物が、テトラアルコキシシラン、オルガノトリアルコキシシラン、ジオルガノジアルコキシシラン、それらの部分加水分解縮合物およびその部分共加水分解縮合物よりなる群から選ばれる、少なくとも１種のアルコキシシランである、請求項６〜９、１４〜１７または２４のいずれかに記載の水性樹脂。
【請求項２６】
請求項１〜２５のいずれかに記載の水性樹脂と、該水性樹脂中に含まれる官能基と反応する官能基を有する化合物（Ｅ）とを、必須の成分として含有することを特徴とする、水性硬化性樹脂組成物。
【請求項２７】
前記した化合物（Ｅ）が、珪素原子に結合した水酸基および／または珪素原子に結合した加水分解性基を有する化合物、一分子中にイソシアネート基と珪素原子に結合した加水分解性基とを併有する化合物、一分子中にエポキシ基と珪素原子に結合した加水分解性基とを併有する化合物、ポリイソシアネート化合物、ブロックイソシアネート化合物、ポリエポキシ化合物、ポリシクロカーボネート化合物、アミノ樹脂、１級ないしは２級アミド基含有化合物、ポリカルボキシ化合物およびポリヒドロキシ化合物よりなる群から選ばれる、少なくとも１種の化合物である、請求項２６に記載の水性硬化性樹脂組成物。